(57)【要約】【課題】ランドセルや鞄、ペットの首輪や携帯電話のストラップに取付けられ、動物や漫画等のキャラクタを立体的に再現し、且つ暗がりでも光を反射し或いは発光して確実に他者から視認できる蓄光リフレクタを提供する。【解決手段】表層に透光性能と反射機能を有する反射シート１と、中層に複数色の蓄光塗料２でキャラクタ５０が描かれ、且つ光を表層に向かって反射する白色シート３と、下層に厚みを持たせる構造シート４とを重ねた積層シート材により構成された表シート５と裏シート６であって、表シート５と裏シート６は、キャラクタ５０の絵柄が彫られた表金型２０ａと裏金型２０ｂとで別々に溶着成形され、更に表シート５と裏シート６とを背合わせに重ねて溶着し型貫されることを特徴とする蓄光リフレクタ。【選択図】図３
0003170945.tif 000002
【実用新案登録請求の範囲】
【請求項１】
表層に透光性能と反射機能を有する反射シートと、中層に複数色の蓄光塗料でキャラクタが描かれ、且つ光を表層に向かって反射する白色シートと、下層に厚みを持たせる構造シートとを重ねた積層シート材により構成された表シートと裏シートであって、
前記表シートと裏シートは、前記キャラクタの絵柄が彫られた表金型と裏金型とで別々に溶着成形され、
更に前記表シートと裏シートとを背合わせに重ねて溶着し型貫されることを特徴とする蓄光リフレクタ。
【請求項２】
前記積層シート材を溶着成形する際、絵柄が彫られた前記表金型或いは前記裏金型で形成される溶着線で、前記キャラクタの輪郭が凹凸状に形成されることを特徴とする請求項１記載の蓄光リフレクタ。
【請求項３】
前記裏シートが、複数の色シートのみを重ねた前記積層シート材で形成されることを特徴とする請求項１または請求項２記載の蓄光リフレクタ。
【請求項４】
前記積層シート材を構成する前記中層が、蓄光塗料が塗布された透明シートを複数積層されていることを特徴とする請求項１または請求項２記載の蓄光リフレクタ。
【考案の詳細な説明】
【技術分野】
【０００１】
本考案は、光を反射または発光する蓄光反射シートを備えた積層シートであって、両面に蓄光塗料と再帰反射シートと構造シートを積層し形成された蓄光リフレクタに関する。
【背景技術】
【０００２】
暗がりでの作業や歩行、或いはペットを連れて自転車で走行する場合、自動車や他者から存在を認識させるため、走行ライトに照らされた時に、その光を反射するアルミニウム反射面の上に球状のガラスビーズや、立体プリズム等を配置した再帰反射シートで形成された反射シートが衣服や靴、自転車のフレーム等に貼り付けられて使用されている。しかし反射シートは光が当たらないと視認できない問題があり、そのため一度光が当たると長時間にわたり光を蓄光し、暗がりでも発光し続けて確実に視認できる蓄光シートとを併用した蓄光反射シートが使用されている。
【０００３】
例えば図５に示す従来の蓄光反射シート６０は、光が当たる場合だけでなく光が当たった後の暗闇の中でも確実に視認することが可能な、再帰反射シート６３と蓄光シート６５及び反射シート６７を組み合わせ、周囲を接着部６９で接合された三層構造の蓄光反射シート６０が開示されている（特許文献１参照）。
【先行技術文献】
【特許文献】
【０００４】
【特許文献１】特開平９−１２７８９２号公報
【考案の概要】
【考案が解決しようとする課題】
【０００５】
しかし、従来の三層構造で形成されている蓄光反射シートの場合、動物や漫画等のキャラクタを印刷した蓄光シートが使用しているため、蓄光シートの図柄は標識等と同じでキャラクタの画像を個性的に表示にするには難があった。
【０００６】
本考案の蓄光リフレクタは、上記の問題についてなされたもので、動物や漫画等のキャラクタを凹凸のある溶着線でかたどって再現し、蓄光反射シートの安全補助グッズとしての機能を損なうことなく、ランドセルや鞄、ペットの首輪や携帯電話のストラップにボールチェーン等を用いて取付けることで暗がりでも光を反射し、或いは発光して確実に他者から視認できる蓄光リフレクタを提供することを目的とする。
【課題を解決するための手段】
【０００７】
本考案は上記の目的を達成するため、以下（１）〜（４）の構成を備えるものである。
【０００８】
（１）表層に透光性能と反射機能を有する反射シートと、中層に複数色の蓄光塗料でキャラクタが描かれ、且つ光を表層に向かって反射する白色シートと、下層に厚みを持たせる構造シートとを重ねた積層シート材により構成された表シートと裏シートであって、前記表シートと裏シートは、前記キャラクタの絵柄が彫られた表金型と裏金型とで別々に溶着成形され、更に前記表シートと裏シートとを背合わせに重ねて溶着し型貫されることを特徴とする蓄光リフレクタ。
【０００９】
（２）前記積層シート材を溶着成形する際、絵柄が彫られた前記表金型或いは前記裏金型で形成される溶着線で、前記キャラクタの輪郭が凹凸状に形成されることを特徴とする前記（１）記載の蓄光リフレクタ。
【００１０】
（３）前記裏シートが、複数の色シートのみを重ねた前記積層シート材で形成されることを特徴とする前記（１）または（２）記載の蓄光リフレクタ。
【００１１】
（４）前記積層シート材を構成する前記中層が、蓄光塗料が塗布された透明シートを複数積層されていることを特徴とする前記（１）または（２）記載の蓄光リフレクタ。
【考案の効果】
【００１２】
本考案の蓄光リフレクタによれば、動物や漫画等のキャラクタをかたどった丸型、四角形、ダイカット形状等の所定の形状に形成した蓄光リフレクタを、ランドセルや鞄、キーホルダ、携帯電話等のストラップにボールチェーン等で取付けることで、暗がりでも光を反射し或いは自立発光して確実に車や他者から視認できる安全補助グッズとしての機能を備えている。
【００１３】
また、積層シート材に蓄光塗料を塗布して描かれた動物や漫画等のキャラクタの画像を、表裏別々に熱溶着用の金型で作成し貼り合わせた蓄光リフレクタを提供できる。
【図面の簡単な説明】
【００１４】
【図１】（ａ）本実施例に係る蓄光リフレクタの六層構造の断面図、（ｂ）蓄光リフレクタの四層構造の断面図、（ｃ）蓄光リフレクタの五層構造の断面図、（ｄ）蓄光リフレクタの表シートと裏シートの背合わせ構造の斜視図
【図２】（ａ）表層の反射シートの機能を示す図、（ｂ）中層の蓄光塗料を塗装した透明シートの機能を示す図、（ｃ）下層の白色シートの機能を示す図
【図３】本実施例に係る蓄光リフレクタの作成工程を示す図
【図４】本実施例に係る蓄光リフレクタの別の構成を示す図
【図５】従来の蓄光反射シートを示す図
【考案を実施するための形態】
【００１５】
以下、本考案を実施するための形態を、実施例により詳しく説明する。
【実施例】
【００１６】
本実施例に係る蓄光リフレクタは、動物や漫画等のキャラクタを模ったステッカーやキャラクタ人形を、ランドセルや鞄、キーホルダや携帯電話のストラップにボールチェーン等で取付けることで光を受けて反射し、或いは暗がりでも蓄光塗料が発光し続けて、走行中の車や他者から人やペット等を確実に視認させる安全補助グッズとして、キャラクタ画像を備えた蓄光反射シートである。
【００１７】
図１は蓄光リフレクタの基本となる構造で、表シート５と裏シート６の積層シート材の構成を示す図である。図１（ａ）に示す表層に再帰反射シート１、中層に蓄光塗料２を塗布した樹脂製の白色シート３、下層に厚みを持たせる構造シート４を積層した三層構造の積層シート材を、表面を作成する表シート５と、裏面を作成する裏シート６とを別々に作成して貼り合わせた六層構造を基本構成とする。
【００１８】
キャラクタの輪郭をかたどる枠線或いは縁取り線は、後述するキャラクタの絵柄が線画で彫り込まれた金型２０（図３）で、熱圧着した際に形成される凹凸状の溶着線によって輪郭が形成されるため、中層の白色シート３に蓄光塗料２でキャラクタ５０の輪郭を描く場合もあるが、通常は白色シート３の全面に蓄光塗料２がベタ塗りされている。この中層の白色シート３に直接蓄光塗料２をベタ塗りする構成は、蓄光シート６５を使用する従来の蓄光反射シート６０に比べてコストダウンを図ることができる。
【００１９】
表シート５と裏シート６に描かれるキャラクタは、一般的には表裏が同一の絵柄であるが、表裏が違う絵柄で作成された構成で有っても良い。
【００２０】
図１（ｂ）に示す蓄光リフレクタ１０（図３）の積層構造は、厚みが薄い積層シート材を作成する場合で、下層の厚みを持たせる構造シート４を除いた表シート５と裏シート６の構成で、反射シート１と蓄光塗料２を塗装された白色シート３の二層構造で形成しても良い。
【００２１】
また、図１（ｃ）に示すキャラクタを片面のみに形成する蓄光リフレクタ１０の場合は、再帰反射シート１、蓄光塗料２を塗装された白色シート３、厚みを持たせるための構造シート４で形成された表シート５と、色シート８を一枚或いは二枚重ねた裏シート６で形成された積層シート材を貼り合わせる五層構成であっても良い。
【００２２】
図１（ｄ）に示す表シート５と裏シート６には、キャラクタ５０の輪郭を線画で彫り込まれた金型２０によって、作成されるキャラクタ５０の画像サイズによりシート上に１〜２０個等のキャラクタ５０が型押しされ、一個から複数個のキャラクタ５０が一度に形成される。
【００２３】
表面の金型２０で形成された表シート５には二箇所の位置合わせの刻印２３，２４が形成されており、後述する溶着型貫装置２５（図３）で、表シート５と裏シート６を背合わせにして貼り合わせる際の位置合わせに使用され、ずれのないように溶着されたキャラクタ５０を型貫形成することで、個々に蓄光リフレクタ１０が形成される。また、蓄光リフレクタ１０の構造が薄い図１（ｂ）、図１（ｃ）の場合は、表シート５と裏シート６を別々に作成することなく表裏一体に一括して熱成形することもできる。
【００２４】
型貫形成される蓄光リフレクタ１０の所定の形状には、丸形や四角形等の他、キャラクタ５０そのものの形状をかたどったダイカット形状に型貫形成されることで、キャラクタ５０をより立体的に表現することができる。市販される製品は、キャラクタ５０の形状をかたどったダイカット形状が主流となっている。
【００２５】
蓄光リフレクタの積層シート材に使用されるシート材の材質は、主にＰＶＣ（ポリ塩化ビニル）或いはＴＰＵ（熱可塑性ポリウレタン）が一般的に使用される。しかし、ＰＶＣとＴＰＵを混在して使用すると溶着効果が弱くなるため、混在して使用することはない。
【００２６】
＜蓄光リフレクタの機能＞
蓄光リフレクタ１０を構成する積層シート材の三層構造の機能を、図２を使って説明する。
【００２７】
図２（ａ）は、再帰反射シート１の再帰反射の原理図である。この表層の再帰反射シート１は、すりガラスのような乱反射や鏡面反射といった普通の反射と異なり、均一に配置された微細な球状のガラスビーズ１１ａ或いは三角錐体の立体プリズム１１ｂのような再帰反射素材１１による屈折と反射により、入射した光の方向に反射する再帰反射と呼ばれる現象を利用した反射シートである。再帰反射素材１１はガラスビーズ型とプリズム型に大別され、ガラスビーズ１１ａの背面で反射させるガラスビーズ型と、内部で屈折反射させる三角錐体の立体プリズム１１ｂをシート表面に配置したプリズム型があり、入射角に係わらず入射した光が入射した方向（光源）に向かって反射される再帰反射機能を有している。
【００２８】
蓄光リフレクタ１０の目的は、光を反射或いは光の反射が変化することで、暗がりでも確実に他者から蓄光リフレクタ１０を付けた子供やペット等の存在を視認させることである。例えば蓄光リフレクタは、夜間や暗がりで車のヘッドライトが当たったときに、その光を車の方向に反射する機能を担うため、ヘッドライトの方向に光を正確に反射し、更に所持者の動きによって蓄光リフレクタ１０が動くことで光の反射が変化するため、運転者に蓄光リフレクタ１０を付けた人間或いは動物の存在を確実に視認させることができる。
【００２９】
本考案の蓄光リフレクタ１０では、この表層の再帰反射シート１を金型２０で溶着成形する時に、キャラクタ５０の輪郭部分に当たる再帰反射シート１の再帰反射機能が失われるため、反射の際にキャラクタ５０の輪郭が黒く縁どられることで画像が判別できる特徴を有している。また、蓄光塗料２が自立発光する際、キャラクタ５０の輪郭部分が熱溶着されて他の部分と発光が異なるため、反射の場合と同様にキャラクタ５０の画像が判別できる特徴を有している。
【００３０】
尚、再帰反射シート１に使用される再帰反射素材１１には、ガラスビーズ型とプリズム型等と多種類あり用途に応じて使い分けるもので、再帰反射素材１１の種類によって本考案を制限するものではない。
【００３１】
図２（ｂ）は蓄光リフレクタ１０の積層シート材の中層の構造で、白色のプラスチック材の白色シート３の表面に３〜４種類のカラーインク蓄光塗料２ａ，２ｂ，２ｃをベタ塗りで塗布することでキャラクタ５０の画像の下地を形成している。多色とすることで単色では表現できない配色が可能となる。また中層の白色シート３は、蓄光塗料２の光を強める働きをする以外に、表層の再帰反射シート１の反射面としても機能する。
【００３２】
車のヘッドライトの光を受けた蓄光塗料２はヘッドライトの光を蓄光し、ヘッドライトの光から外れてもキャラクタ５０自体が自立発光することで蓄光リフレクタが揺れ動いて発光し続け、所持者を確実に視認させる高い認知機能を備えている。
【００３３】
また、自立発光した際、発色する色が太陽光等の下で見える色と違う色に変化するように、色の変化を演出できる。蓄光塗料２は太陽光やヘッドライト等の光に含まれる紫外線により光エネルギを蓄えて発光する３〜４種類のカラーインク蓄光塗料を使うことで、キャラクタ５０の画像が光を受けた時と、自立発光した時とその見え方を変えることもできる。そのため、夜間等の暗い状況でも色の異なる蓄光塗料２を自立発光させることで、より存在位置を確実に認識させることができる蓄光リフレクタ１０となる。
【００３４】
中層の構成は、キャラクタ５０の形状に切抜かれた蓄光シートを表層の再帰反射シート１の裏面に配置した薄い蓄光リフレクタ１０の構造であっても良い。
【００３５】
図２（ｃ）の下層の構造シート４は、プラスチック材で形成された厚みと強度を持たせる構造材として働き、熱溶着の際に中層との間には僅かに空気が封入された空気層７（図３）を形成するため、該空気層７とシート材の材質の持つ適度な弾力により独特の手触り感を与える。ただし作成する製品によっては、空気層７を形成しないように各層を密着させて作成されるため、空気層７は必ずしも必要ではない。
【００３６】
中層に使用される白色シート３は必ずしも白色である必要はなく、中層に描かれるキャラクタ５０を引き立てるために、鏡面や、銀色、薄緑、浅黄色等の光を効率良く反射させる素材、或いは光を透過する透明素材であっても良いため、本考案を白色のみに限定するものではない。
【００３７】
＜蓄光リフレクタの作成工程＞
図３に示す蓄光リフレクタ１０の作成工程を説明する。図３（ａ）は三層構造の積層シート材と絵柄が線彫りされた金型２０で、表層に再帰反射と透光性能を有する再帰反射シート１と、中層に３〜４種類のカラーインク蓄光塗料２でキャラクタ５０の下地がベタ塗りで描かれた白色シート３と、下層に厚みを持たせる構造シート４からなる三層構造の積層シート材を使って、表面のキャラクタ５０を構成する表シート５と、裏面のキャラクタ５０を構成する裏シート６とが別々に作成される。
【００３８】
表側のキャラクタ５０の絵柄が線彫りされた熱溶着用の表金型２０ａと、裏側のキャラクタ５０の絵柄が線彫りされた熱溶着用の裏金型２０ｂにより、積層シート材を熱溶着した際、溶着線１３が蓄光塗料２でベタ塗りされたキャラクタ５０の輪郭をかたどる枠線或いは縁取り線となる凹凸状の溶着溝を形成する。また表金型２０ａには、表シート５の二箇所に位置合わせの刻印２３，２４を形成する刻印突起２１，２２がある。位置合わせの刻印２３，２４は、溶着型貫装置２５の基壇２８に設置された裏シート６の上に表シート５を背合わせに積層した際、表面用の金型２５ａと表シート５に型押しされたキャラクタ５０との位置合わせに使用されて位置ずれを防止する。
【００３９】
図３（ｂ）に示す作成工程では、表面のキャラクタ５０の絵柄が線彫りされた溶着用の表金型２０ａで溶着成形された表シート５を作成、同様に反射シート１と蓄光塗料２を塗布された透明シート３と白色シート４を積層して裏面のキャラクタ５０が線彫りされた溶着用の裏金型２０ｂで溶着成形した裏シート６を作成する。溶着成形の際、中層と下層との間に僅かな空気が封入された空気層７が形成され、キャラクタ５０の輪郭は溶着線１３で形成される凹凸状の溶着溝によって立体的に形成される。作成する製品によっては空気層７を形成せず、キャラクタ５０の輪郭は溶着線１３で形成される凹凸状の溶着溝によって立体的に形成される。
【００４０】
金型２０で溶着成形された表シート５と裏シート６には、キャラクタ５０のサイズによって数が異なるが、図１（ｄ）で示すように同じキャラクタ像がシート上に、一個から複数個のキャラクタ５０が型押しされた状態で形成されている。
【００４１】
図３（ｃ）に示す溶着型貫工程では、表シート５と裏シート６を重ね合わせ、溶着型貫装置２５を使って、キャラクタ５０の周囲部を熱溶着し、丸形、四角形、ダイカット形状等の所定の形状に型貫された一個の蓄光リフレクタ１０を作成する。溶着型貫装置２５の基壇２８に設置された裏面用の金型２５ｂに裏返した裏シート６を填め込んで位置を固定し、裏シート６の上に表シート５を重ねて背合わせに配置する。その際、溶着型貫装置２５の表面用の金型２５ａには、表シート５の二箇所に形成された位置合わせの刻印２３，２４に対応して、位置合わせ突起２６，２７を有し、表面用の金型２５ａの位置合わせ突起２６，２７と、表シート５に形成されたキャラクタ５０の刻印２３，２４とを一致させることで、キャラクタ５０の表面と裏面とがずれることなく所定の形状に溶着し型貫することができる。
【００４２】
溶着型貫工程でキャラクタ５０のサイズによっては、予め裏シート６のキャラクタ５０を個々に型貫して作成し、溶着型貫装置２５の基壇２８に設置された裏面用の金型２５ｂに裏シート６を填め込み、その上に表シート５を重ねる方法であっても良い。
【００４３】
図３（ｄ）に示す所定の形状に型貫された蓄光リフレクタ１０には、両面に凹凸状のキャラクタ５０の輪郭が溶着線１３で描かれている。蓄光リフレクタ１０を所定の形状に型貫する際、丸形、四角形、ダイカット形状等の所定の形状の周辺部は、その縁に沿って溶着部１２が形成され積層シート材が剥離することを防止している。
【００４４】
通常、溶着圧力の強い溶着機を使用して、片面から一度に六層構造の積層シート材を溶着する方法が作業効率及びコスト面において有効である。
【００４５】
しかし、圧力の弱い溶着機を使用する場合は、表層の再帰反射シート１が硬質なため、表シート５と裏シート６を重ね一回で溶着させることができない、或いは溶着しても積層シート材が剥離する場合がある。そのため、作業工数が増えてコスト高になるが、積層シート材の表シート５と裏シート６を別々に作成し、更に表シート５と裏シート６を重ねて溶着型貫する二段階の作成方法が選択された。逆にこの弱点を生かした作成方法が、三層構造の表シート５及び裏シート６のキャラクタ５０の輪郭線を、溶着線１３である凹凸状の溶着溝で形成することで、画像の異なった凹凸のある表シート５及び裏シート６を形成することが可能となり、キャラクタ５０の輪郭の細かい陰影を立体的な凹凸状の溶着線１３で表現することができる本考案の特徴の一つとなっている。
【００４６】
その結果、完成した蓄光リフレクタ１０は、表シート５及び裏シート６を貼り合わせることで厚みのある構造となり、積層シート材に描かれたキャラクタ５０が平面でありながら、溶着線１３で描かれた輪郭の細かい陰影を、凹凸状の溶着溝で形成することで立体的な表情を持たせることが可能となる。また表シート５及び裏シート６の積層シート材に使用されるＰＶＣ或いはＴＰＵにより、蓄光リフレクタ１０は適度なクッション性を持つため手に持った際の良好な感触を生み出している。
【００４７】
蓄光リフレクタ１０の積層シート材について、別の構成例を図４で説明する。図４（ａ）に示す積層シート材は、表シート５及び裏シート６の中層に蓄光塗料２を塗布した透明シート９を配置し、下層に白色シート３を配置する構成で、蓄光塗料２が自立発光した際に白色シート３で反射させ、光を強くしてキャラクタ５０を浮き出させる効果を発揮させることができる。
【００４８】
しかし、透明シート９と白色シート３を追加するためコスト高となるが、配色と発光効果を高めたことでキャラクタ５０の浮き出し効果と、確実に他者から視認できる安全補助グッズとして高機能な製品を提供できる。
【００４９】
図４（ｂ）に示す積層シート材は、表シート５及び裏シート６の構成が、表層に再帰反射シート１、中層に蓄光塗料２を塗布した透明シート９を配置し、下層の構造シート４を表シート５と裏シート６とで共有する五層構造の蓄光リフレクタ１０の例である。作成する際、表シート５と裏シート６は二層構造で作成し、溶着型貫装置２５で貼り合わせる際に構造シート４を追加して作成しても良い。
【００５０】
図４（ｃ）に示す積層シート材は、表層の再帰反射シート１、中層に蓄光塗料２ａを塗布した透明シート及び蓄光塗料２ｂを塗布した透明シート９を二枚配置し、下層は設けない三層構造の表シート５と裏シート６の構成例である。更に中層を、蓄光塗料２を塗布した透明シート９を複数配置する構成で有っても良く、下層に白色シート３を配置する構成であっても良い。
【００５１】
蓄光塗料２は太陽光やヘッドライト等の光に含まれる紫外線により光エネルギを蓄えて発光する３〜４種類のカラーインク蓄光塗料を使うことで、キャラクタ５０の画像が光を受けた時と、自立発光した時とその見え方を変えることができる特徴を備えている。そのため従来の蓄光シートを用いる方法と異なり、カラーインク蓄光塗料２を重ねて描かれたキャラクタ５０は、蓄光塗料２の色合いの変化により発光効果が平面的とならず、人に購買意欲を起こさせる蓄光リフレクタ１０を提供することができる。
【００５２】
以上、蓄光リフレクタは、特に子供達の暗がりでの歩行、或いはペットを連れて自転車で走行する場合、自動車や他者から人やペットの存在位置を確実に認識させることができる安全補助グッズとしての効果を発揮させるものである。更に蓄光リフレクタの持つ独特の立体感及び反射や発光効果を利用し、著名なキャラクタと組み合わせたステッカーやキャラクタ人形と融合させて作成することで、ペットの飼い主や若年層だけでなくＯＬ等の女性層にも人気のある製品として人に購買意欲を起こさせる製品を提供することができる。
【符号の説明】
【００５３】
１      再帰反射シート
２      蓄光塗料
３      白色シート
４      構造シート
５      表シート
６      裏シート
７      空気層
８      色シート
９      透明シート
１０    蓄光リフレクタ
１１    再帰反射素材
１２    溶着部
１３    溶着線
２０    金型
２０ａ  表金型
２０ｂ  裏金型
２１    刻印突起
２２    刻印突起
２３    刻印
２４    刻印
２５    溶着型貫装置
２６    位置合わせ突起
２７    位置合わせ突起
２８    基壇
５０    キャラクタ
【図１】
0003170945.tif 000003
【図２】
0003170945.tif 000004
【図３】
0003170945.tif 000005
【図４】
0003170945.tif 000006
【図５】
0003170945.tif 000007